(57)【要約】      （修正有）【課題】タンクの蓋が容易に外されないように固定することができると共に、その固定構造が極力タンク外部へ露出しない蓋の固定構造を提供する。【解決手段】側面に貫通穴１４が形成されたタンク１０と、貫通穴１４に回転自在に軸支され少なくとも一部にねじ山が形成されたおねじ部１６ｂとおねじ部に連設され回転操作可能な頭部１６ａとを有するボルト１６と、ボルトのおねじ部に螺合されるめねじ部１８ｂとめねじ部より上方に延びて先端がフック形状に形成されたフック部１８ａとを有する掛止部１８と、掛止部が掛止される掛止受部２０が内側に設けられタンク上部に載置される蓋１２とを備え、ボルトの頭部はタンク外部に配置されると共に、おねじ部は貫通穴を貫通してタンク内部に向かって延びて配置され、ボルトの頭部を一方向に回転させることで掛止部をボルトの軸方向に移動させて、掛止部のフック部を蓋の掛止受部に掛止させる。【選択図】図２
2014101129.tif 000002
【特許請求の範囲】
【請求項１】
側面に貫通穴が形成されたタンクと、
前記貫通穴に回転自在に軸支され少なくとも一部にねじ山が形成されたおねじ部と、前記おねじ部に連設され回転操作可能な頭部と、を有するボルトと、
前記ボルトのおねじ部に螺合されるめねじ部と、前記めねじ部より上方に延びて先端がフック形状に形成されたフック部と、を有する掛止部と、
前記掛止部が掛止される掛止受部が内側に設けられタンク上部に載置される蓋と、を備え、
前記ボルトの頭部は前記タンクの外部に配置されると共に、前記おねじ部は前記貫通穴を貫通し前記タンクの内部に向かって延出して配置され、
前記ボルトの頭部を一方向に回転させることで前記掛止部を前記ボルトの軸方向に移動させて、前記掛止部のフック部を前記蓋の掛止受部に掛止させるタンクの蓋の固定構造。
【請求項２】
前記掛止部が前記ボルトのおねじ部を中心に回転することを防止する回転防止手段を備える請求項１記載のタンクの蓋の固定構造。
【発明の詳細な説明】
【技術分野】
【０００１】
本発明は、大便器などに供給される洗浄水を貯溜するタンクに関し、特にそのタンクの蓋の固定構造に関するものである。
【背景技術】
【０００２】
従来、この種の蓋の固定構造として特開２００３−４１６３９等に見られるものは、タンクと、タンクの上部に載置される蓋とを、タンクの側面に設けられた連結部材によって連結することで固定したものである。
【先行技術文献】
【特許文献】
【０００３】
【特許文献１】特開２００３−４１６３９号公報
【発明の概要】
【発明が解決しようとする課題】
【０００４】
しかしながら、従来の蓋の固定構造では、タンクと蓋とを連結する連結部材がタンク外部に露出しているため見た目が悪いという問題があった。また、コンビニエンスストアなどの店舗では、悪戯によって連結部材の連結が解除され、タンク内部にごみ等を入れられるという問題もあった。本発明は、上記問題を解決するためになされたもので、本発明の目的は、タンクの蓋が容易に外されないように固定することができると共に、その固定構造が極力タンク外部へ露出しない蓋の固定構造を提供することを目的とする。
【課題を解決するための手段】
【０００５】
上記の目的を達成するために、本発明は、以下のような手段を採用している。すなわち、本発明のタンクの蓋の固定構造は、側面に貫通穴が形成されたタンクと、貫通穴に回転自在に軸支され少なくとも一部にねじ山が形成されたおねじ部と、おねじ部に連設され回転操作可能な頭部と、を有するボルトと、ボルトのおねじ部に螺合されるめねじ部と、めねじ部より上方に延びて先端がフック形状に形成されたフック部と、を有する掛止部と、掛止部が掛止される掛止受部が内側に設けられタンク上部に載置される蓋と、を備え、ボルトの頭部はタンク外部に配置されると共に、おねじ部は貫通穴を貫通してタンク内部に向かって延出して配置され、ボルトの頭部を一方向に回転させることで掛止部をボルトの軸方向に移動させて、掛止部のフック部を蓋の掛止受部に掛止させることを特徴とする。
【０００６】
このように構成された本発明においては、タンク外部に配置されたボルトの頭部を一方向に回転させることで、タンク内部に配置された掛止部をボルトの軸方向に移動させ、掛止部のフック部を蓋の掛止受部に掛止させることができる。したがって、タンクの蓋が容易に外されないように固定することができると共に、その固定構造が極力タンク外部へ露出しないように構成できる。
【０００７】
本発明は、好ましくは、掛止部がボルトのおねじ部を中心に回転することを防止する回転防止手段を備えることを特徴とする。
【０００８】
このように構成された本発明においては、掛止部がボルトの回転に伴って一緒に回転してしまうことを防止することができる。したがって、掛止部のフック部をめねじ部より上方に位置させた状態で、掛止部を確実にボルトの軸方向に移動させることができる。よって、蓋の固定を確実に行うことができる。
【発明の効果】
【０００９】
本発明によれば、タンクの蓋が容易に外されないように固定することができると共に、その固定構造が極力タンク外部へ露出しない蓋の固定構造を提供することができる。
【図面の簡単な説明】
【００１０】
【図１】本発明の実施の形態である大便器の斜視図である。
【図２】本発明の第１実施例の蓋の固定構造の要部断面図である。
【図３】図２において右側から固定部材及び掛止受部を見た図である。
【図４】固定部材の拡大斜視図である。
【図５】本発明の第２実施例の蓋の固定構造の要部断面図である。
【図６】本発明の第３実施例の蓋の固定構造の要部断面図である。
【発明を実施するための形態】
【００１１】
以下、図面を参照しつつ、本発明の実施の形態について説明する。
図１は本発明の実施の形態である大便器の斜視図である。図２は本発明の第１実施例の蓋の固定構造の要部断面図であり、図３は図２において右側から固定部材及び掛止受部を見た図である。また、図４は固定部材の拡大斜視図である。
図１において１は便器本体で、１０はタンクである。そして、タンク１０の上部には蓋１２が載置され、図示しない固定構造によってタンク１０に固定されている。
【００１２】
図２、図３に示すように、本発明の第１実施例の蓋の固定構造は、側面に貫通穴１４が形成されたタンク１０と、その貫通穴１４に回動自在に軸支されタンク１０の内側に向かって延出するボルト１６と、ボルト１６に螺設され先端がフック状に形成された掛止部１８と、掛止部１８を掛止する掛止受部２０が内側に設けられた蓋１２と、を備えている。ここで、タンク１０の側面とは、タンク１０の底面から上方に延びて壁状に形成された部分である。図２においてはタンク１０を正面から見たときの左側の側面を示しているが、右側の側面に対しても同様の固定構造にて固定されている。
【００１３】
貫通穴１４の内面には、筒状のボルトガイド２２が設けられ、タンク１０の内側よりナット２４で締め付けられてタンク１０の側面に固定されている。このボルトガイド２２は、例えばタンク１０が陶器で形成され、貫通穴１４の大きさにバラつきが生じる場合であっても、ボルト１６を安定して略水平に軸支するために設けられている。
【００１４】
ボルト１６は、六角穴が形成された頭部１６ａとねじ山が形成されたおねじ部１６ｂとを有する。ボルト１６の頭部１６ａは、タンク１０の外部に配置され、おねじ部１６ｂは貫通穴１４を介してタンク１０の内部に略水平に延出させて配置される。なお、本実施形態において、おねじ部１６ｂのねじ山は、おねじ部１６ｂの先端側の一部に形成されているが、おねじ部１６ｂ全体に亘って形成されていても良い。
【００１５】
掛止部１８は、ボルト１６のおねじ部１６ｂに螺合されるめねじ部１８ｂと、めねじ部より上方に延びて先端がフック形状に形成されたフック部１８ａとを備えている。このように掛止部１８のめねじ部１８ｂをボルト１６のおねじ部１６ｂに螺合させることで、ボルト１６の回転によって、掛止部１８がボルト１６の軸方向に進退可能に構成される。
以下に、第１実施例の蓋の固定構造について、その取り付け手順を示す。
まず、掛止部１８が図２のＡの位置にある状態でタンク１０の上部に蓋１２を載置する。そして、タンク１０の外部に露出するボルト１６の頭部１６ａを工具等で一方向に回すことで、おねじ部１６ｂも回転し、おねじ部１６ｂに螺合された掛止部１８がボルト１６のおねじ部１６ｂに沿ってタンク１０の側面に近づく方向（図２のＡからＢに向かう方向）に移動する。そして、掛止部１８が図２のＢの位置まで達すると、掛止部１８の先端に形成されたフック部１８ａが掛止受部２０に掛止され、蓋１２がタンク１０に固定された状態となる。
【００１６】
図２に示すような第１実施例においては、タンク１０内部にインナータンク３０や結露防止カバー３２などが設けられているため、ボルト１６の下方にはスペースがあまりない。したがって、掛止部１８は、ボルト１６のおねじ部１６ｂに螺合されためねじ部１８ｂから上方に延びた形状になるため、掛止部１８の重心がボルト１６より高い位置になる。よって、掛止部１８が、ボルトのおねじ部１６ｂを中心に回転しやすく、掛止部１８のフック部１８ａが、ボルト１６より下方の位置まで移動してしまう可能性がある。
【００１７】
そこで掛止部１８の回転を防止するために、ガイド部材２６（回転防止手段）が設けられている。ガイド部材２６は、図４に示すように、掛止部１８のフック部１８ａを挟みおねじ部１６ｂと平行に設けられた板状のガイド部２６ａと、ガイド部２６ａと連設されナット２４によってタンク１０の側面に固定される板状のガイド固定部２６ｂと、から構成されている。ガイド部２６ａが、掛止部１８のフック部１８ａの回転方向に対して両側から挟むように配置されているため、仮にフック部１８ａがボルト１６のおねじ部１６ｂを中心に回転しようとしても、ガイド部２６ａに突き当たり回転が防止される。したがって、掛止部１８は回転することなく、ボルト１６の軸方向に沿って（ガイド部２６ａに沿って）移動することが可能となる。
【００１８】
次に、本発明の第２実施例の蓋の固定構造について説明する。図５は本発明の第２実施例の蓋の固定構造の要部断面図である。なお、ここでは上述の第１実施例と異なる点を中心に説明する。
【００１９】
第２実施例の蓋の固定構造としては、掛止部１８において、めねじ部１８ｂより下方に延びる延出部１８ｃ（回転防止手段）が設けられている。これにより、掛止部１８の重心がボルト１６より低い位置になる。したがって、ボルト１６を回転したとしても、掛止部１８は回転することなく、ボルト１６の軸方向に沿って進退させることが可能となる。したがって、第１実施例のようにガイド部材２６を別途設けなくても、掛止部１８の回転を防止できる。したがって、第１実施例よりも部品点数が少なく、コストを低く抑えた蓋の固定構造を提供できる。なお、第２実施例の蓋の固定構造における取り付け手順は第１実施例と同じであるため、省略する。
【００２０】
次に、本発明の第３実施例の蓋の固定構造について説明する。図６は本発明の第３実施例の蓋の固定構造の要部断面図である。なお、ここでも上述の第１実施例と異なる点を中心に説明する。
【００２１】
第３実施例の蓋の固定構造としては、掛止部１８の先端に折り返し部１８ｄが設けられており、さらにボルト１６のおねじ部１６ｂには掛止部１８のめねじ部１８ｂに当接するように回転防止ナット４０が設けられている。
【００２２】
第３実施例における蓋の固定構造の取り付け手順としては、以下に示す通りである。
まず、ボルト１６のおねじ部１６ｂに、掛止部１８のめねじ部１８ｂを螺合させる。次いで、おねじ部１６ｂに回転防止ナット４０を螺合させ、掛止部１８のめねじ部１８ｂに当接する位置まで移動させる。このとき、掛止部１８を図６のＡの位置に配置させる。そして、タンク１０の上部に蓋１２を載置し、タンク１０の外部よりボルト１６の頭部１６ａを外側に引き出すことで、掛止部１８の折り返し部１８ｄを蓋１２の内部に形成された掛止受部２０に掛止させる。（このときの掛止部１８は図６のＢの位置になる。）その後、ボルト１６の頭部１６ａの引き出した分を、タンク１０に対してねじ込むことで取り付けが完了する。
【００２３】
以上、本実施形態を詳述したが、これはあくまで一例である。例えば、本実施形態では、ボルト１６の頭部１６ａは工具で回転させるように構成したが、施工者が手で回転できるように、つまみ部を形成してもよい。
また、本実施形態では、掛止部を掛止受部に掛止させるにあたり、掛止部をタンク側面に近づく方向に移動させるように構成したが、これとは逆に掛止部をタンク側面から遠ざかる方向に移動させることで掛止受部に掛止させるようにしてもよい。
【符号の説明】
【００２４】
１      便器本体
１０    タンク
１２    蓋
１４    貫通穴
１６    ボルト
１６ａ  頭部
１６ｂ  おねじ部
１８    掛止部
１８ａ  フック部
１８ｂ  めねじ部
１８ｃ  延出部
１８ｄ  折り返し部
２０    掛止受部
２２    ボルトガイド
２４    ナット
２６    ガイド部材
２６ａ  ガイド部
２６ｂ  ガイド固定部
３０    インナータンク
３２    結露防止カバー
４０    回転防止ナット
【図１】
2014101129.tif 000003
【図２】
2014101129.tif 000004
【図３】
2014101129.tif 000005
【図４】
2014101129.tif 000006
【図５】
2014101129.tif 000007
【図６】
2014101129.tif 000008